(57)【特許請求の範囲】
【請求項１】
注射器(Ａ)の先端部に側方より嵌着して針(13)を被覆する針カバー(Ｂ)であって、下部を、注射器本体(11)先端部に強制的に嵌合させる嵌着部(23)とし、上部を、注射器本体(11)より突設した針(13)を収容する針収容部(24)とした開環筒状部(20)を備え、針収容部(24)の前部開口を、針(13)の強制的な押圧により出入り可能な針挿入口(30)を備えた閉塞壁(B2)で閉塞し、針挿入口(30)を、針収容部(24)位置の閉塞壁(B2)中央部を縦断して設けたジグザグ部(36)の内側折曲部(35)に線状破断部(32)を形成して構成したことを特徴とする注射器の針カバー。
【請求項２】
開環筒状部(20)を備えた基体(B1)に、別体に形成した板状の閉塞壁(B2)を固着して構成した請求項１記載の注射器の針カバー。
【請求項３】
基体(B1)が、上端閉塞で下端開口の開環筒状部(20)を備え、開環筒状部(20)の前部開口縁より少なくとも側方へフランジ(21)を延設して構成した請求項２記載の注射器の針カバー。
【請求項４】
嵌着部(23)の前部開口の両側縁よりそれぞれ前方へ突出する案内突部(22)を突設した請求項１乃至請求項３のいずれかに記載の注射器の針カバー。
【発明の詳細な説明】
【技術分野】
【０００１】
本発明は注射器の針カバーに関する。
【背景技術】
【０００２】
注射器には使用者の安全確保等の目的でその針を被覆する針カバーが装着させている。針カバーの一般的な形状としてはサック状をなし、比較的剛性を備えた合成樹脂等で形成されている。
【０００３】
針カバーは未使用時には予め針に装着されており、使用時に外して使用し、また、使用後には再び装着して注射器ともども廃棄するのが一般的である。従って、通常では使用時に外し、使用後に装着する一回の着脱で済む場合もあるが、液を分割して射出することもしばしばあり、それによって着脱の回数も増える。これらの着脱の際に指先への針刺し事故が生じているが、その点を考慮して、針刺し事故の防止を目的とした使用済注射器への針カバー装着方法が提案がされている。（例えば、特許文献１参照）
【０００４】
上記特許文献１の発明では、注射器針に装着する針カバーの大径部と緊密に装着可能な径を有する孔部を備えた防護鍔を用意し、この防護鍔を外部からアクセス可能な形態で貯蔵装置に所要個数貯蔵しておき、予め針カバーの装着されている使用前注射器を貯蔵装置に挿入して針カバーと防護鍔とを緊密に装着させ、しかる後注射器から針カバーを外して注射器を使用し、使用済の注射器に再び防護鍔付きの針カバーを装着する。
【特許文献１】特開２００１−２２４６８６号公報
【発明の開示】
【発明が解決しようとする課題】
【０００５】
上記特許文献１に記載した針カバーは、針刺し事故を防止できる優れたものではあるが、別部材としての防護鍔を必要とし、また、その貯蔵装置を必要とするものであり、取り扱いが煩雑となり、設置場所の必要も生じる。
【０００６】
本発明は上記した点に鑑みてなされたもので、簡単な構造で取り扱いも便利であり、針刺し事故を確実に防止できる注射器の針カバーを提案する。
【課題を解決するための手段】
【０００７】
本発明に於ける注射器の針カバーは、注射器の先端部に側方より嵌着して針を被覆する。対象となる注射器は一般的なもので、例えば先端に小径部を備えた注射器本体を備え、小径部に針取付部材を介して針を突設するものが挙げられる。この場合針取付部材が小径部外周に嵌合させたものであっても、小径部内周に嵌合させたものであっても良い。
【０００８】
針カバーは、下部を、注射器本体先端部に強制的に嵌合させる嵌着部とし、上部を、注射器本体より突設した針を収容する針収容部とした開環筒状部を備え、針収容部の前部開口を、針の強制的な押圧により出入り可能な針挿入口を備えた閉塞壁で閉塞している。
【０００９】
開環筒状部は装着する注射器本体先端部の形状に合わせた形状とすることが好ましく、開環円筒形状が一般的であるが開環多角形状等先端部に合わせた形状とすれば良い。注出キャップ本体の先端部としては、通常は先端の小径部を指すが、例えば針取付部材の基端部が小径部外周に嵌合して取り付けられる場合には、針取付部材の基端部外周を本体先端部として考慮する。
【００１０】
針カバーは全体を一体に成形しても、或いは環状筒状部を備えた基体と、別体に形成し、針収容部の前部開口を閉塞して基体に固着された閉塞壁とで構成しても良い。これらの材質としては合成樹脂やエラストマー等適宜選択して使用することができる。
【００１１】
開環筒状部は一般的には上端を閉塞し、下端を開口した開環筒状形態を採用するが、上端及び下端を開放した開環筒状形態であっても良い。その場合当然のことながら開環筒状部の長さが針を収容出来る長さとする。また、嵌着部は注射器本体の先端部に合わせた径が必要でありが、針収容部は注射器本体より径の小さい針を収容できれば良い。そのため、嵌着部の径と針収容部の径は同じであっても針収容部の径を小さく形成しても良い。但し、径を異なる構成の場合にはその中心が同じ位置にくる形態が好ましい。
【００１２】
また、カバーは案内突部を設けても良い。案内突部は嵌着部の注射器本体先端部への嵌合をより行い易くするために設けるもので、嵌着部の前部開口の両側縁よりそれぞれ前方へ突設した形態のものを採用する。この場合その形状は上記要件を満たせば種々採用でき、例えば図示例の如き横断面ｃ字型及び横断面逆ｃ字型をなすものであっても、或いは両者が八の字状に開いた板状であっても良い。
【００１３】
第１の手段として、以下の通り構成した。即ち、注射器Ａの先端部に側方より嵌着して針13を被覆する針カバーＢであって、下部を、注射器本体11先端部に強制的に嵌合させる嵌着部23とし、上部を、注射器本体11より突設した針13を収容する針収容部24とした開環筒状部20を備え、針収容部24の前部開口を、針13の強制的な押圧により出入り可能な針挿入口30を備えた閉塞壁B2で閉塞し、針挿入口30を、針収容部24位置の閉塞壁B2中央部を縦断して設けたジグザグ部36の内側折曲部35に線状破断部32を形成して構成した。
【００１４】
第２の手段として、以下の通り構成した。即ち、前記第１の手段に於いて、開環筒状部20を備えた基体B1に、別体に形成した板状の閉塞壁B2を固着して構成した。
【００１５】
第３の手段として、以下の通り構成した。即ち、前記第２の手段に於いて、基体B1が、上端閉塞で下端開口の開環筒状部20を備え、開環筒状部20の前部開口縁より少なくとも側方へフランジ21を延設して構成した。
【００１６】
第４の手段として、以下の通り構成した。即ち、前記第１の手段乃至第３の手段のいずれかの手段に於いて、嵌着部23の前部開口の両側縁よりそれぞれ前方へ突出する案内突部22を突設した。
【００２０】
第８の手段として、以下の通り構成した。即ち、前記第１の手段乃至第４手段のいずれかの手段に於いて、針挿入口30を、針収容部24位置の閉塞壁B2中央部を縦断して設けたジグザグ部36の内側折曲部35に線状破断部32を形成して構成した。
【発明の効果】
【００２２】
本発明によれば、注射器Ａの先端部に側方より嵌着して針13を被覆することができ、また、取り外す際にも側方に取り外すことができるため、針で指を刺すという事故の発生を防ぐことができる。また、注射器Ａに対して側方から押圧することで弾性を備えた嵌着部23を嵌合させるとともに、針13を強制的に押圧して挿通させる針挿入口30を備えているので、着脱も極めて容易である。
【００２３】
開環筒状部20を備えた基体B1に、別体に形成した板状の閉塞壁B2を固着して構成した場合には、比較的剛性を必要とする基体B1と、より柔軟性を必要とする針挿入口30部分を別の材質で構成でき、より機能的な針カバーＢの形成が可能となる。
【００２４】
基体B1が、上端閉塞で下端開口の開環筒状部20を備え、開環筒状部20の前部開口縁より少なくとも側方へフランジ21を延設して構成した場合には、針カバーＢの注射器Ａへの着脱の際にフランジ21を押圧してより容易な着脱が可能となる。
【００２５】
嵌着部23の前部開口の両側縁よりそれぞれ前方へ突出する案内突部22を突設した場合には、嵌着部の注射器本体11先端部への強制嵌合が円滑に行える利点がある。
【００２９】
針挿入口30を、針収容部24位置の閉塞壁B2中央部を縦断して設けたジグザグ部36の内側折曲部35に線状破断部32を形成して構成した場合には、針13の押圧挿入に比較的力が必要であるため、太い針13等に好適に利用できる。
【発明を実施するための最良の形態】
【００３１】
以下、本発明の実施例の形態を図面を参照して説明する。
【００３２】
図１乃至４は参考例を示し、Ａは注射器を、Ｂは針カバーを示す。
【００３３】
注射器Ａは、先端に小径部10を備えた本体11と、小径部10内に図９に示す如く螺着させた針取付部材12を介して装着された針13と、本体11内を摺動して本体11内の液を針13を介して注出するプランジャ14とを備えている。
【００３４】
針カバーＢは、図２に示す如く、基体B1と、閉塞壁B2とを備えている。基体B1は、合成樹脂により形成されたもので、開環筒状部20と、フランジ21と、一対の案内突部22，22とを備えている。開環筒状部20は、下部の大径部20a と、上部の同心円状に縮径した小径部20b とを備え、また、下端を開口し、上端を閉塞し、更に前部を同一平面で縦断して開口させている。また、フランジ21は、開環筒状部20の前部開口縁から側方及び上方へ延設し、下部の横幅を広く構成している。また、各案内突部22は、嵌着部23の前部開口の両側縁よりそれぞれ前方へ突設している。各案内突部22は横断面ｃ字型及び逆ｃ字型をなしている。そして、大径部20a の下部を嵌着部23として構成し、小径部20b を針収容部24として構成している。
【００３５】
閉塞壁B2は、合成樹脂により形成された板状をなし、針収容部24の前部開口を閉塞してフランジ21表面に固着している。固着方法は、接着，融着等の適宜手段を採用できる。閉塞壁B2は針13の強制的な押圧により出入り可能な針挿入口30を備えている。本例に於ける針挿入口30は、針収容部24の中央を縦断するスリット31として構成している。
【００３６】
上記の如く構成された針カバーＢは、注射器Ａの側方より装着する。その際、各案内突部22が注射器Ａの小径部10により拡開し、それにより嵌着部23を拡開しつつ小径部10に嵌合する。同時に針13がスリット31を押圧開口して針収容部24内に収容される。この場合、一方の手で注射器Ａを持ち、他方の手の例えば親指と人差指で嵌着部23外面を挟んで、それらの指でフランジ21を押圧することで簡単に装着が可能となる。また、取り外す際には、例えば、一方の手で注射器本体11を掴みつつその親指と人差指で嵌着部23両側のフランジ21を押圧すれば容易に取り外すことができる。尚、着脱方法は一例を述べたに過ぎず、これに限られるものではない。
【００３７】
図５は他の参考例を示すもので、図１の例に於いて、針挿入口30を押圧破断可能な線状破断部32で構成した場合を示す。線状破断部32は針収容部24位置を縦断して設けられている。線状破断部32の具体例としては、ミシン目や、極薄に線状連結部等が挙げられる。この場合には、最初注射器Ａに針カバーＢを装着する際に側方から線状破断部32を破断開口して装着しても良いが、上方から装着しておけば未使用が判然とする。その他の構成は図１の例と同様であるため、同符合を付して説明を省略する。
【００３８】
図６及び図７は更に他の参考例を示すもので、図１の例に於いて、閉塞壁B2を左閉塞壁と右閉塞壁との二枚で構成し、針挿入口30を、各左右閉塞壁の端縁相互を重ね合わせた重ね合わせ部33として構成している。この場合には、針13を挿通させる際、重ね合わせ部33を針収容部24内方或いは外方へ押圧変形させつつ重ね合わせ部33間を通過させる。その他の構成は図１の例と同様であるため、同符合を付して説明を省略する。
【００３９】
図８及び図９は本発明の実施例を示すもので、図１の例に於いて、閉塞壁B2に外側折曲部34及び内側折曲部35の二つの折曲部を備えたジグザグ部36を設け、ジグザグ部36の内側折曲部35に図５の例と同様の線状破断部32を形成して針挿入口30を構成している。ジグザグ部36も針収容部24を縦断して設けられている。この場合には、図５の例と同様最初側方から注射器Ａに針カバーＢを装着しておいてもよいが、上方から装着しておいても良い。また、最初側方から針13を挿通させる際には、ジグザグ部36を押圧変形させつつ内側折曲部35へ針13が導入され、線状破断部32を破断開口して針収容部24内に挿入される。その他の構成は図１の例と同様であるため、同符合を付して説明を省略する。
【００４０】
図10乃至図12は更に他の参考例を示すもので、針カバーＢを合成樹脂により一体物として構成した例を示す。針カバーＢは、下部の大径部20a と、上部の同心円状に縮径した小径部20b とを備え、また、下端を開口し、上端を閉塞し、更に前部を同一平面で縦断して開口させた開環筒状部20を備えている。また、小径部20b の前部開口両側縁より、それぞれ中央に向かって延びる弾性片37を多数並設してその中央部に針挿入口30を形成している。更に、嵌着部23外周にはフランジ25を突設している。
【００４１】
図13は更に他の参考例を示すもので、図10の例に於いて弾性片37の形状を幅広に形成した例を示す。
【図面の簡単な説明】
【００４２】
【図１】針カバーの装着状態の正面図である。（参考例１）
【図２】針カバーの斜視図である。（参考例１）
【図３】図２のＸ−Ｘ線に沿う断面図である。（参考例１）
【図４】図２のＹ−Ｙ線に沿う断面図である。（参考例１）
【図５】針カバーの斜視図である。（参考例２）
【図６】針カバーの斜視図である。（参考例３）
【図７】図６のY2−Y2線に沿う断面図である。（参考例３）
【図８】針カバーの斜視図である。（実施例１）
【図９】図８のY3−Y3線に沿う断面図である。（実施例１）
【図１０】針カバーの装着状態の縦断面図である。（参考例４）
【図１１】針カバーの斜視図である。（参考例４）
【図１２】図11のY4−Y4線に沿う断面図である。（参考例４）
【図１３】針カバーの斜視図である。（参考例５）
【符号の説明】
【００４３】
Ａ…注射器
10…小径部，11…本体，12…針取付部，13…針，14…プランジャ
Ｂ…針カバー
B1…基体
20…開環筒状部，20a …大径部，20b …小径部，21…フランジ，22…案内突部，
23…嵌着部，24…針収容部，25…フランジ
B2…閉塞壁
30…針挿入口，31…スリット，32…線状破断部，33…重ね合わせ部，
34…外側折曲部，35…内側折曲部，36…ジグザグ部，37…弾性片
【図１】
0005105434.tif 000002
【図２】
0005105434.tif 000003
【図３】
0005105434.tif 000004
【図４】
0005105434.tif 000005
【図５】
0005105434.tif 000006
【図６】
0005105434.tif 000007
【図７】
0005105434.tif 000008
【図８】
0005105434.tif 000009
【図９】
0005105434.tif 000010
【図１０】
0005105434.tif 000011
【図１１】
0005105434.tif 000012
【図１２】
0005105434.tif 000013
【図１３】
0005105434.tif 000014